(57)【要約】【課題】    従来の毛生え薬（育毛剤）の容器は単なるパッケージであり使用したいというモチベーションを持たせる突起がなかった。【解決手段】  容器の蓋の部分と毛の部分が連動して動き、毛が自動的に突出するので購入、使用意欲を上げさせる。【選択図】        図7
2008184166.tif 000002
【特許請求の範囲】
【請求項１】
箱の蓋を開けると共に毛が生えてく事を特徴とする毛生え薬（育毛養毛剤）等容器。
【発明の詳細な説明】
【技術分野】
【０００１】
本発明は育毛養毛剤など箱に関する。
【背景技術】
【０００２】
従来の毛生え薬（育毛養毛剤）等容器はほぼ四角長方形のものであり、パッケージとして製品表示や保護以外の効果は全く無かった。
【発明の開示】
【発明が解決しようとする課題】
【０００３】
本発明は、毛生え薬の容器を手に取り、蓋を開ける度に毛が出てくるので、この薬用育毛剤で毛が生えるという感じを持たせる画期的な容器の発明である。
【課題を解決するための手段】
【０００４】
本発明は、箱の蓋の開閉に連動して髪の毛の部分が自動的に突出するようにする。
【発明の効果】
【０００５】
本発明は上記のように消費者が毛生え薬（育毛養毛剤）を使用する際、毛が自動的に伸びてくるので消費者が面白がり、その毛生え薬を買いたい、又、利用し続けたいと思わせるのみならず、実際箱から毛が伸びて来るので、この毛生え薬で毛が生えるとの心理作用により効果を向上させ、又、消費者の使用継続の意欲を増進させる効果がある、今迄全く無かった発想による画期的な発明である。
【発明の実施するための最良の形態】
【０００６】
毛が蓋に連動して自動的に飛び出す仕組みになっている容器を作ること。
【実施例１】
【０００７】
本発明実施例を以下図面に基づき説明する。
図１は本発明実施例のひとつで、毛７が蓋8に連動して自動的に飛び出す仕組みになっている容器の展開図である。箱本体下部はワンプッシュ底２１とし、一角に３点円弧線１１を入れ、２２はのり代である。本体１８上部に切れ目１を入れ、紙など蓋の材質の反発による蓋フラップ８の浮きを小さくする。紙厚分、ケイ線位置を調整する。フラップ（ベロ）２の寸法を紙の反発を押えるため通常の幅より小さくする（例えば４２ミリを２７ミリに）小ベロ３を設ける。毛７の部分がフラップの下にもぐらないようにするためと毛７がまっすぐ出るガイドの役割をさせるためである。小ベロ３と本体１８との隙間１６は極力小さくする。これは毛７がベロとの隙間に入り込んでしまうのを防ぐためである。ベロ１３の根元４は平行直線とし、箱本体１８の角に当り、蓋８が浮き戻らないようになっている（図２も参照）。
【０００８】
図２は図１のベロ１３及び毛７の拡大図で、毛７はベロ１３に切線１９を入れて形成するが、毛７の先端５の位置は、蓋８とベロ１３との折目２０の位置よりベロ１３先端方向にずらした位置５にしてある。これは蓋８を閉めても毛だけが飛び出さないようにするためである。
図１と図２に示す毛７とベロ１３とのツナギ部６を設けたのは本発明量産時に毛７がまくれて不良品を発生するのを防止するためで、ビン等内容物を箱に入れ、ベロ１３を挿入する時に作業員はツナギ６を切る。
本発明実施例の場合、毛は図で左側（凹面コーナー側）に出てくる。
【０００９】
図３は図１に印刷した本発明実施例で、毛７の部分は毛色（例えば黒）とし、その他のベロ１３は例えば白として、黒との対比を鮮明にして毛７が出てくるのを目立たせる。
【００１０】
図４は図１の展開図ののり代２２にノリを塗り箱を筒状にして平らに
折りたたんだ平面図である。この状態で製箱工場から出荷され、これに中身を入れる作業員は本発明容器の両エッジ９端を矢印の方向に両側から押せばワンタッチで図５のようになる。
【００１１】
図５は本発明箱１８にボトルなど内容物１０を矢印のように上から入れ、左中ベロ２４にある折線２３で、小ベロ３（毛７押え）を直角に折り、左中ベロ２４と右中ベロ２を折り、蓋８と大ベロ１３との間にある折線２０で大ベロ１３を折り、更に本体１８上部の折線１で蓋８を折って大ベロ１３と毛７を本体１８内に挿入する。この際、中ベロ２４と中ベロ２、特に小ベロ３が毛７を圧迫する。
【００１２】
図６は蓋８を閉めた状態をしめす。１１の折線により角が凹み毛の形となり、且つデザイン的にも優美であり、又グリップ状となり箱を握り易くなる形状ともなる。１２は蓋の端に付いたつまみであり、蓋を開け易くするための取っ手になる。
【００１３】
図7は本発明の蓋８を開けた時の斜視図である。図６の蓋８のつまみ１２を指ではさみ、蓋８を開けると図３の如く蓋８の大ベロ１３の一部にある切欠線１９により毛７が分離し容器の蓋を開けるに従い引っ張り上げられ、根元が中ベロ、小ベロに押さえらているので自動的に大ベロ１３と分離されて、毛７のみ上方向に直立出現する。この毛７は黒など毛の色に印刷され、ベロ１３は白色等毛色と反対色にする事により、直立する毛を見立たせ、蓋を開ける者に「この養毛剤を使えば毛が生えてくる」というイメージを与え、使おうという意欲を持たせる。
尚、毛７の図７の左側のカーブ１４は本体１８のコーナーにある折線１１の形状と合わせたカーブなので、箱内側形状と毛の形状が一致するので、箱内部の限られたスペースにピタリと毛が収納され、且つ毛７は左に曲がって出て来るので、本当の毛に見えるように折線１１とのコンビを利用して毛７の形状が工夫されている。
【００１４】
図8は本発明他の実施例の展開図で、本体１８の上部にヒレ２５を設け、
このほぼ中央に凸型に切り込み２６を設け、一方、蓋８に設けた大ベロ２７の中に切込２８を入れ、毛７を形成し、毛７は前記２６から出現する仕組みになっている。
２９は切取線、１７は折線でボトル等内容物は切取線２９を切り、折線１７で箱を折って箱の側面に出口を作り、ここからボトルなど内容物を外へ取出す。
図９は製箱工場から出荷されたときの折畳んだ状態の平面図である。この実施例の場合、図１と異なり、毛は箱の中央から出てくる。
【００１５】
図10も本発明実施例の展開図で、毛７の根本２７は多数の折線を入れ柔軟に曲るようになっており、この部分を中に入れるボトルの底を廻してその上にボトルを入れ、毛７がボトルを廻りながら出てくるようになっている。１５はボトルの底を固定する孔である。箱全体の形状は先細となっており、折線１１と共に全体として毛を連想する形状となっている。本実施例の場合、毛は箱の中央から出てくる。本発明は上記諸実施例の他、蓋と毛が連動しないなど種々の変形が考えられるが、毛が生えるというパッケージは全て本発明に含まれるものである。
【００１６】
本発明は、養毛剤を使用する時に毛が出てくる。この視覚と動作効果により、ユーザーに箱を開けて中身を使用するモチベーションを与え、且つ毛が伸びてくるのでこの中の養毛剤で毛が生えることを連想させる。
【産業上の利用可能性】
【００１７】
今迄かつて実際に自動的に蓋と連動して毛が生えてくる薬用育毛剤の箱は確認されていない。本発明は育毛で悩んでいる人達を救う画期的な発明である。
【図面の簡単な説明】
【００１８】
【図１】本発明実施例の展開図
【図２】図１の本発明大ベロ部分の拡大平面図
【図３】本発明実施例の印刷した展開図
【図４】本発明を組み立てフラットにした平面図
【図５】本発明箱に内容物（ボトル）を入れる説明図
【図６】本発明箱の蓋を閉じた斜視図
【図７】本発明箱の蓋を開けた斜視図
【図８】本発明他の実施例の展開図
【図９】図8の本発明を組み立てフラットにした平面図
【図１０】本発明他の実施例の展開図
【符号の説明】
【００１９】
1                 
切れ目を入れた折線
2                 
右中ベロ
3                 
左中ベロに設けた小ベロ（毛押え）
4                 
大ベロ根元並行直線部
5                 
毛７の先端
6      毛７と大ベロ１３とのツナギ部分（本発明製造時に毛７の部分がまくれて不良品を出すのを防ぐため）
7      毛
8      蓋
9      本体18の折線
10      本発明箱の中に入れるボトル等内容物
11      凹曲面のコーナー用折線
12      蓋８を開けるつまみ
13      大ベロ
14      毛７の箱コーナー側（図で左側）の曲線
15                  
内容ボトルの固定孔
16                  
本体１８上部と、小ベロ３との間の隙間
17                  
ボトル取出用折線
18                  
箱本体
19                  
大ベロ１３に設けた切線（毛７を形成）
20                  
蓋８と大ベロ１３との折線
21                  
ワンタッチ底
22                  
本体のり代
23                  
左中ベロ２４と小ベロ３の折線
24                  
左中ベロ
25                  
本体上部ヒレ（図８）
26                  
凸型切込（図８）
27                  
図８の大ベロ
28                  
図８の大ベロ内の切線（毛７を形成する）
29                  
ボトル取出用切取線
【図１】
2008184166.tif 000003
【図２】
2008184166.tif 000004
【図３】
2008184166.tif 000005
【図４】
2008184166.tif 000006
【図５】
2008184166.tif 000007
【図６】
2008184166.tif 000008
【図７】
2008184166.tif 000009
【図８】
2008184166.tif 000010
【図９】
2008184166.tif 000011
【図１０】
2008184166.tif 000012